(57)【要約】【課題】パッドの突き当たり面においてレシーバ側筺体とマイク側筺体との間に隙間が生じるのを防ぎ、異音の発生や見栄えの低下を防いで商品価値を高める。【解決手段】レシーバ側筺体２０とマイク側筺体３０との間に介在するパッドの突起４０ｂ、４０ｃ、４０ｄの厚さ、断面積を異ならせることで、レシーバ側筺体２０とマイク側筺体３０との連結部分がヒンジユニットに対応した側Ｓ１とダミーヒンジに対応した側Ｓ２とで傾いたときでも、突起４０ｂ、４０ｃ、４０ｄがマイク側筐体３０に均等に突き当たるようにした。【選択図】図２
2011044914.tif 000002
【特許請求の範囲】
【請求項１】
アンテナを備えた第１の筐体と、
入力部を備えた第２の筐体と、
前記第１の筐体の一端部と前記第２の筐体の一端部とを回動自在に連結して前記第１の筐体と前記第２の筐体とを開閉可能とするヒンジ部と、
前記第１の筐体と前記第２の筐体の少なくとも一方に備えられ、前記第１の筐体と前記第２の筐体とを閉じた状態で、前記第１の筐体と前記第２の筐体との突き当たり部分に介在するパッドと、を備え、
前記パッドは、前記第１の筐体と前記第２の筐体の連結部分の一方の側に対応した部分と他方の側に対応した部分とで、厚さが互いに異なることを特徴とする携帯型無線端末。
【請求項２】
前記ヒンジ部は、前記第１の筐体と前記第２の筐体の連結部分の一方の側のみに、前記第１の筐体と前記第２の筐体との開閉力を付勢するヒンジ機構を備えていることを特徴とする請求項１に記載の携帯型無線端末。
【請求項３】
前記パッドは、前記第１の筐体と前記第２の筐体の連結部分の前記一方の側に対応した部分よりも、前記他方の側に対応した部分の方が大きな厚さを有していることを特徴とする請求項２に記載の携帯型無線端末。
【請求項４】
前記突起は、前記第１の筐体または前記第２の筐体の表面に沿った面における断面積が、互いに異なることを特徴とする請求項１から３のいずれか一項に記載の携帯型無線端末。
【請求項５】
前記パッドは、前記ヒンジ部の回転軸方向に沿った複数箇所に前記第１の筐体または前記第２の筐体の表面から突出する突起を有していることを特徴とする請求項１から４のいずれか一項に記載の携帯型無線端末。
【請求項６】
前記パッドは、ベース部を有し、
複数の前記突起が、前記ベース部上に一体に形成されていることを特徴とする請求項５に記載の携帯型無線端末。
【請求項７】
表示部を備えた第１の筐体と、
前記第１の筐体の一端部に回動自在に連結された第２の筐体と、
前記第１の筐体と前記第２の筐体の少なくとも一方に備えられ、前記第１の筐体と前記第２の筐体とを閉じた状態で、前記第１の筐体と前記第２の筐体との突き当たり部分に介在するパッドと、を備え、
前記パッドは、前記第１の筐体と前記第２の筐体の連結部分の一方の側に対応した部分と他方の側に対応した部分とで、厚さが互いに異なることを特徴とする電子機器。
【発明の詳細な説明】
【技術分野】
【０００１】
本発明は、折畳み式の筺体を備えた携帯型電話端末をはじめとする携帯型無線端末、電子機器に関する。
【背景技術】
【０００２】
図６に示すように、折畳み式の携帯型電話端末１は、アンテナを備えたレシーバ側筐体２と、マイクを備えたマイク側筐体３とが、ヒンジ部４により折畳み可能に連結されている。そして、レシーバ側筺体２とマイク側筺体３とを折畳む際にレシーバ側筺体２とマイク側筺体３とが突き当たったときの衝撃力および衝撃音を緩和するため、レシーバ側筺体２、マイク側筺体３の少なくとも一方の突き当たり面に、パッド５が設けられている（例えば、特許文献１〜３参照。）。
【先行技術文献】
【特許文献】
【０００３】
【特許文献１】特開２００５−３１８１２７号公報
【特許文献２】特開２００６−２２２５３４号公報
【特許文献３】特開２００８−２９４８２９号公報
【発明の概要】
【発明が解決しようとする課題】
【０００４】
ところで、ヒンジ部４は、レシーバ側筺体２の端部２ａと、マイク側筺体３の端部３ａとが連結する部分の両端に設けられており、その一方が、レシーバ側筺体２とマイク側筺体３を開閉する際にその開閉動作を付勢するための回転トルクを発生するバネ等が内蔵されたヒンジユニット４Ａとされ、他方は、レシーバ側筐体２とマイク側筐体３を電気的に接続する為のフレキシブルプリント回路が挿通される筒型のダミーヒンジ４Ｂとされている。
【０００５】
このため、レシーバ側筺体２とマイク側筺体３とを折畳むときには、一方のヒンジユニット４Ａのみによって発生する回転トルクによって、レシーバ側筺体２とマイク側筺体３とが相対的に引き寄せられる。すると、レシーバ側筺体２とマイク側筺体３との間では、ヒンジユニット側Ｓ１に大きな引張力が作用し、ダミーヒンジ側Ｓ２には小さな引張力が作用することになる。すると、図７（ａ）に示すように、ダミーヒンジ４Ｂのガタや、レシーバ側筺体２およびマイク側筺体３の弾性変形等により、レシーバ側筺体２とマイク側筺体３との連結部分がヒンジユニット側Ｓ１とダミーヒンジ側Ｓ２とで傾き、ヒンジユニット側Ｓ１においては、レシーバ側筺体２とマイク側筺体３との隙間が狭くなり、ダミーヒンジ側Ｓ２においては、レシーバ側筺体２とマイク側筺体３との隙間が広くなってしまうことがある。
【０００６】
すると、レシーバ側筺体２とマイク側筺体３との突き当たり面に設けられたパッド５の当たり具合が、ヒンジユニット側Ｓ１とダミーヒンジ側４Ｂとで異なってしまう。その結果、図７（ｂ）に示すように、パッド５の突き当たり面においてレシーバ側筺体２とマイク側筺体３との間に僅かな隙間が発生した場合、携帯型電話端末１に内蔵されたバイブレータが振動した時に、通常の振動とは異なるビリつき音等、異音が発生してしまうことがある。
また、外観上においても、折畳み状態において、レシーバ側筺体２とマイク側筺体３との間のパッド５の突き当たり面で、片側のみに僅かな隙間があると見栄えが悪く、商品価値が低下してしまう問題も発生する。  
そこでなされた本発明の目的は、パッドの突き当たり面においてレシーバ側筺体とマイク側筺体との間に隙間が生じるのを防ぎ、異音の発生や見栄えの低下を防いで商品価値を高めることのできる携帯型無線端末、電子機器を提供することである。
【課題を解決するための手段】
【０００７】
本発明は、上記課題を解決するため、以下の手段を採用する。
すなわち、本発明は、アンテナを備えた第１の筐体と、入力部を備えた第２の筐体と、第１の筐体の一端部と第２の筐体の一端部とを回動自在に連結して第１の筐体と第２の筐体とを開閉可能とするヒンジ部と、第１の筐体と第２の筐体の少なくとも一方に備えられ、第１の筐体と第２の筐体とを閉じた状態で、第１の筐体と第２の筐体との突き当たり部分に介在するパッドと、を備え、パッドは、第１の筐体と第２の筐体の連結部分の一方の側に対応した部分と他方の側に対応した部分とで、厚さが互いに異なることを特徴とする。
【０００８】
また、本発明は、表示部を備えた第１の筐体と、第１の筐体の一端部に回動自在に連結された第２の筐体と、第１の筐体と第２の筐体の少なくとも一方に備えられ、第１の筐体と第２の筐体とを閉じた状態で、第１の筐体と第２の筐体との突き当たり部分に介在するパッドと、を備え、パッドは、第１の筐体と第２の筐体の連結部分の一方の側に対応した部分と他方の側に対応した部分とで、厚さが互いに異なることを特徴とする電子機器とすることもできる。
【発明の効果】
【０００９】
本発明によれば、第１の筐体と第２の筐体とを閉じた状態で、第１の筐体と第２の筐体との突き当たり部分に介在するパッドが、第１の筐体と第２の筐体の連結部分の一方の側に対応した部分と他方の側に対応した部分で厚さが互いに異なるようにしたので、第１の筐体と第２の筐体の連結部分の一方の側と他方の側で隙間が異なっていても、パッドを密着させることができる。
その結果、携帯型無線端末や電子機器に内蔵されたバイブレータが振動した時に、通常の振動とは異なるビリつき音等、異音が発生するのを防ぐことができる。また、外観上においても、折畳み状態において、パッドの突き当たり面で第１の筐体と第２の筐体との間に隙間が生じるのを防ぐことができ、見栄えを向上し、商品価値が低下するのを防ぐことができる。
【図面の簡単な説明】
【００１０】
【図１】本実施形態に係る携帯型電話端末の構成を示す図である。
【図２】レシーバ側端末とマイク側端末を閉じた状態におけるパッドを示す図である。
【図３】他の実施形態に係るパッドを示す図である。
【図４】パッドをマイク側端末に設けた例を示す図である。
【図５】パッドをマイク側端末の中間部に設けた例を示す図である。
【図６】従来の携帯型電話端末の構成を示す図である。
【図７】レシーバ側端末とマイク側端末を閉じたときに、レシーバ側端末とマイク側端末とが傾き、パッドの片側に隙間が生じた状態を示す図である。
【発明を実施するための形態】
【００１１】
以下、添付図面を参照して、本発明による同軸線路を実施するための最良の形態を説明する。しかし、本発明はこれらの実施例のみに限定されるものではない。
【００１２】
図１は、本実施の形態における携帯型電話端末（携帯型無線端末、電子機器）１０の構成を説明するための図であり、レシーバ側筐体（第１の筐体）２０とマイク側筐体（第２の筐体）３０とを開いた状態の図である。
図１に示すように、携帯型電話端末１０は、アンテナを内蔵するとともに、ＬＣＤ等の表示部２１を備えるレシーバ側筐体２０と、キー入力部３１およびマイクを備えるマイク側筐体（第２の筐体）３０と、を備える。
【００１３】
これらレシーバ側筐体２０とマイク側筐体３０とは、それぞれの一辺２０ａ、３０ａの両端部において、ヒンジ部１１により回転可能に連結されている。
ヒンジ部１１として、一辺２０ａ、３０ａの一方の端部には、レシーバ側筺体２０とマイク側筺体３０を開閉する際にその開閉動作を付勢するための回転トルクを発生するバネ等が内蔵されたヒンジユニット（ヒンジ機構）１１Ａが設けられ、他方の端部には、レシーバ側筐体２０とマイク側筐体３０を電気的に接続する為のフレキシブルプリント回路が挿通される筒型のダミーヒンジ１１Ｂが設けられている。
【００１４】
携帯型電話端末１０においては、レシーバ側筐体２０に、ヒンジ部１１とは反対側の辺２０ｂに沿って、レシーバ側筐体２０とマイク側筐体３０の突き当たり面どうしの間に介在するパッド４０が設けられている。
【００１５】
図２に示すように、パッド４０は、レシーバ側筐体２０において、レシーバ側筐体２０とマイク側筐体３０とを閉じたときに、マイク側筐体３０に対向する側の表面２０ｃから直交する方向に突出している。
パッド４０は、レシーバ側筐体２０の表面２０ｃに設けられたベース部４０ａと、ヒンジユニット１１Ａに対応した側Ｓ１の突起４０ｂと、ダミーヒンジ１１Ｂに対応した側Ｓ２の突起４０ｃと、それらの間の中央部の突起４０ｄとを有している。これら突起４０ｂ、４０ｃ、４０ｄは、レシーバ側筐体２０の表面２０ｃからの突出寸法（以下、これを厚さと称する）を互いに異ならせるように設定されている。すなわち、ヒンジユニット１１Ａに対応した側Ｓ１の突起４０ｂから、ダミーヒンジ１１Ｂに対応した側Ｓ２の突起４０ｃに向けて、パッド４０の厚さが漸次大きくなるようにパッド４０が形成されている。
【００１６】
レシーバ側筺体２０とマイク側筺体３０とを折畳むと、一方のヒンジユニット１１Ａのみによって発生する回転トルクによって、レシーバ側筺体２０とマイク側筺体３０との連結部分がヒンジユニット１１Ａに対応した側Ｓ１とダミーヒンジ１１Ｂに対応した側Ｓ２とで傾くことがある。これにより、ヒンジユニット１１Ａに対応した側Ｓ１においては、レシーバ側筺体２０とマイク側筺体３０との隙間が狭くなり、ダミーヒンジ１１Ｂに対応した側Ｓ２においては、レシーバ側筺体２０とマイク側筺体３０との隙間が広くなってしまう。これに対し、パッド４０は、前述したように、ヒンジユニット１１Ａに対応した側Ｓ１の突起４０ｂから、ダミーヒンジ１１Ｂに対応した側Ｓ２の突起４０ｃに向けて、その厚さが漸次大きくなるように形成されているので、これにより、パッド４０は、レシーバ側筺体２０とマイク側筺体３０との隙間の傾きに応じた厚さを有するものとなり、マイク側筐体３０の表面３０ａに隙間無く突き当たる。
ここで、パッド４０の突起４０ｂ、４０ｃ、４０ｄの厚さは、レシーバ側筺体２０とマイク側筺体３０との連結部分がヒンジユニット１１Ａに対応した側Ｓ１とダミーヒンジ１１Ｂに対応した側Ｓ２とで傾いたときに、上記のように突起４０ｂ、４０ｃ、４０ｄがマイク側筐体３０に均等に突き当たるよう、事前に厚さの分布を設定する必要があるのは言うまでもない。
【００１７】
パッド４０は、ヒンジユニット１１Ａに対応した側Ｓ１の突起４０ｂと、ダミーヒンジ１１Ｂに対応した側Ｓ２の突起４０ｃが、中央部の突起４０ｄに対し、その断面積（突出方向に直交する面での断面積）が小さくなるよう設定されている。
これにより、両側の突起４０ｂ、４０ｃがつぶれやすく、レシーバ側筺体２０とマイク側筺体３０との傾き具合が製造誤差や経時変化等によって変化した場合にも、これに対応してパッド４０がマイク側筐体３０の表面３０ａに隙間無く突き当たる。
【００１８】
このようにして、パッド４０の突起４０ｂ、４０ｃ、４０ｄの厚さ、断面積を異ならせることで、レシーバ側筺体２０とマイク側筺体３０との連結部分がヒンジユニット１１Ａに対応した側Ｓ１とダミーヒンジ１１Ｂに対応した側Ｓ２とで傾いても、突起４０ｂ、４０ｃ、４０ｄがマイク側筐体３０に均等に突き当たるようになる。
これにより、パッド４０の突き当たり面においてレシーバ側筺体２０とマイク側筺体３０との間に僅かな隙間が発生するのを防ぐことができる。その結果、携帯型電話端末１０に内蔵されたバイブレータが振動した時に、通常の振動とは異なるビリつき音等、異音が発生するのを防ぐことができる。
また、外観上においても、折畳み状態において、パッド４０の突き当たり面でレシーバ側筺体２０とマイク側筺体３０との間に隙間が生じるのを防ぐことができ、見栄えを向上し、商品価値が低下するのを防ぐことができる。
【００１９】
（その他の実施形態）
なお、本発明の携帯型電話端末は、図面を参照して説明した上述の実施形態に限定されるものではなく、その技術的範囲において様々な変形例が考えられる。
例えば、上記実施形態において、パッド４０には、突起４０ｂ、４０ｃ、４０ｄを備える構成としたが、その数は３つに限るものではない。
例えば、パッド４０に代えて、図３に示すように、互いに独立したパッド部材５０Ａ、５０Ｂを設けることもできる。パッド部材５０Ａ、５０Ｂは、レシーバ側筐体２０において、レシーバ側筐体２０とマイク側筐体３０を閉じたときに、マイク側筐体３０に対向する側の表面２０ｃから直交する方向に突出して設けられている。パッド部材５０Ａは、ヒンジユニット１１Ａに対応した側Ｓ１に設けられ、パッド部材５０Ｂは、ダミーヒンジ１１Ｂに対応した側Ｓ２に設けられている。
【００２０】
パッド部材５０Ａと、パッド部材５０Ｂとでは、レシーバ側筐体２０の表面２０ｃからの突出方向の厚さが互いに異なり、ヒンジユニット１１Ａに対応した側Ｓ１のパッド部材５０Ａよりも、ダミーヒンジ１１Ｂに対応した側Ｓ２のパッド部材５０Ｂの方が、その厚さが大きくなるように形成されている。
さらに、ヒンジユニット１１Ａに対応した側Ｓ１のパッド部材５０Ａと、ダミーヒンジ１１Ｂに対応した側Ｓ２のパッド部材５０Ｂとで、その断面積（突出方向に直交する面での断面積）を互いに異ならせることもできる。
【００２１】
このようにして、パッド部材５０Ａ、５０Ｂの厚さ、断面積を異ならせることで、レシーバ側筺体２０とマイク側筺体３０との連結部分がヒンジユニット１１Ａに対応した側Ｓ１とダミーヒンジ１１Ｂに対応した側Ｓ２とで傾いたときに、パッド部材５０Ａ、５０Ｂがマイク側筐体３０に均等に突き当たるようになる。
これにより、パッド部材５０Ａ、５０Ｂの突き当たり面においてレシーバ側筺体２０とマイク側筺体３０との間に僅かな隙間が発生するのを防ぐことができる。その結果、携帯型電話端末１０に内蔵されたバイブレータが振動したときに異音が発生するのを防ぐとともに、折畳み状態における見栄えを向上し、商品価値が低下するのを防ぐことができる。
【００２２】
また、図４に示すように、パッド４０やパッド部材５０Ａ、５０Ｂと同様のパッド６０を、レシーバ側筐体２０ではなく、マイク側筐体３０において、ヒンジ部１１とは反対側の辺３０ｂに沿った位置に設けることもできる。
【００２３】
また、パッド４０、５０Ａ、５０Ｂ、６０は、レシーバ側端末２０とマイク側端末３０との突き当たり面であれば、いかなる場所に設けても良い。
例えば、図５に示すように、パッド部材７０Ａ、７０Ｂを、ヒンジ部１１と反対側の辺３０ｂとの間の両側部に沿った位置に設けることもできる。なお、図５の例では、キー入力部３１の両側に設けるようにした。この場合も、パッド７０Ａ、７０Ｂは、その厚さ、断面積を互いに異ならせる。
また、携帯型端末において、レシーバ筐体２０とマイク側筐体３０との少なくともいずれか一方の突き当たり面に設けられてアクセシビリィティ機能を持った突き当てパッドに、上記実施形態のパッド４０、５０Ａ、５０Ｂ、６０を適用するものとしても良い。アクセシビリィティ機能を持った突き当てパッドとは、例えば、突没可能に一方側の筐体に設けられ、開いた状態でパッドが突出していることで通話状態とすることができるとともに、閉じた状態でパッドが設けられた一方側と反対側の他方側の筐体に押圧されて没することで終結ボタンとして機能し、これにより通話、終結のボタン操作を不要とするものである。
【００２４】
上記実施形態においては、携帯型電話端末に本発明を適用する例を示したが、他の携帯型無線端末や、様々な折り畳み式の電子機器にも本発明を同様に適用可能である。
これ以外にも、本発明の主旨を逸脱しない限り、上記実施の形態で挙げた構成を取捨選択したり、他の構成に適宜変更することが可能である。
【符号の説明】
【００２５】
１０  携帯型電話端末（携帯型無線端末、電子機器）
１１  ヒンジ部
１１Ａ  ヒンジユニット（ヒンジ機構）
１１Ｂ  ダミーヒンジ
２０  レシーバ側筐体（第１の筐体）
２１  表示部
３０  マイク側筐体（第２の筐体）
３１  キー入力部
４０、６０  パッド
４０ａ  ベース部
４０ｂ、４０ｃ、４０ｄ  突起
５０Ａ       、５０Ｂ、７０Ａ、７０Ｂ  パッド部材
【図１】
2011044914.tif 000003
【図２】
2011044914.tif 000004
【図３】
2011044914.tif 000005
【図４】
2011044914.tif 000006
【図５】
2011044914.tif 000007
【図６】
2011044914.tif 000008
【図７】
2011044914.tif 000009